【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
ワイヤレスデバイスによるワイヤレス通信のための方法であって、
複数の固定されたバンドリングサイズへの、複数のアップリンクまたはダウンリンクチャネルのマッピングを決定することと、ここにおいて、前記複数の固定されたバンドリングサイズの各々は、チャネルがそれらを通じて送信されるべき送信時間間隔（ＴＴＩ）の数を示し、前記複数のチャネルのうちの第１のものについてのバンドリングサイズは、他のチャネルのうちの１つまたは複数についてのバンドリングサイズを決定づける、
前記マッピングに基づいて、前記複数のアップリンクチャネルの送信を処理することまたは前記複数のダウンリンクチャネルの受信を処理することと
によって特徴づけられる、方法。
【請求項２】
前記複数のチャネルうちの前記第１のものは、前記ダウンリンクチャネルのうちの１つまたは複数についての前記バンドリングサイズを決定づけるアップリンクチャネルであるか、または、
前記複数のチャネルうちの前記第１のものは、前記アップリンクチャネルのうちの１つまたは複数についての前記バンドリングサイズを決定づけるダウンリンクチャネルである、請求項１に記載の方法。
【請求項３】
物理ブロードキャストチャネル（ＰＢＣＨ）についてのバンドリングサイズは、システム情報ブロック（ＳＩＢ）および拡張された物理ダウンリンク制御チャネル（ｅＰＤＣＣＨ）についてのバンドリングサイズを決定づける、請求項１に記載の方法。
【請求項４】
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つにおいてシグナリングされるか、または、前記ＰＢＣＨまたは前記ＳＩＢのうちの少なくとも１つのバンドリングサイズにマッピングされるかのいずれかである、請求項１に記載の方法。
【請求項５】
前記マッピングは、プライマリ同期信号（ＰＳＳ）、セカンダリ同期信号（ＳＳＳ）、物理ブロードキャストチャネル（ＰＢＣＨ）、またはシステム情報ブロック（ＳＩＢ）のうちの少なくとも１つのバンドリングサイズに、Ｍｓｇ １ランダムアクセスチャネル（ＲＡＣＨ）、Ｍｓｇ ２ ＲＡＣＨ応答、Ｍｓｇ ３、またはＭｓｇ ４のうちの少なくとも１つのバンドリングサイズをマッピングすることを備える、請求項１に記載の方法。
【請求項６】
異なるＲＡＣＨメッセージのバンドリングサイズに基づく第１のＲＡＣＨメッセージのバンドリングサイズをさらに備える、請求項５に記載の方法。
【請求項７】
前記複数のアップリンクまたはダウンリンクチャネルは、
物理アップリンク共有チャネル（ＰＵＳＣＨ）、ランダムアクセスチャネルＲＡＣＨ Ｍｓｇ １、またはＲＡＣＨ Ｍｓｇ ３のうちの少なくとも１つ、または、
物理ダウンリンク制御チャネル（ＰＤＣＣＨ）、物理ブロードキャストチャネル（ＰＢＣＨ）、物理ＨＡＲＱインジケータチャネル（ＰＨＩＣＨ）、またはシステム情報ブロック（ＳＩＢ）のうちの少なくとも１つを備える、請求項１に記載の方法。
【請求項８】
前記処理することは、前記複数のチャネルのアップリンクチャネルについての割り当てられたバンドリングサイズに基づいて、前記複数のチャネルのダウンリンクチャネルについてのバンドリングサイズを識別することを備え、ここにおいて、オプションとして、前記処理することは、物理アップリンク共有チャネル（ＰＵＳＣＨ）について割り当てられたバンドリングサイズに基づいて、物理ダウンリンク制御チャネル（ＰＤＣＣＨ）または物理ＨＡＲＱインジケータチャネル（ＰＨＩＣＨ）のうちの少なくとも１つについてのバンドリングサイズを識別することを備える、請求項１に記載の方法。
【請求項９】
前記処理することは、前記複数のチャネルのダウンリンクチャネルについてのバンドリングサイズに基づいて前記複数のチャネルのアップリンクチャネルについてのバンドリングサイズを識別することを備え、ここにおいて、オプションとして、前記処理することは、拡張された物理ダウンリンク制御チャネル（ｅＰＤＣＣＨ）またはＰＤＣＣＨについてのバンドリングサイズに基づいて、物理アップリンク制御チャネル（ＰＵＣＣＨ）肯定応答（ＡＣＫ）についてのバンドリングサイズを識別することを備える、請求項１に記載の方法。
【請求項１０】
前記処理することは、前記マッピングに従って前記１つまたは複数のアップリンクチャネルを送信すること、または、
前記マッピングに従って送信された前記１つまたは複数のダウンリンクチャネルを受信することを備える、請求項１に記載の方法。
【請求項１１】
前記マッピングすることは、少なくとも１つのチャネルについて、単一の固定バンドリングサイズへの前記チャネルの１対１のマッピング、または、潜在的なバンドリングサイズのセットへの前記チャネルの一対多のマッピングを備える、請求項１に記載の方法。
【請求項１２】
ブラインド検出を介して潜在的なバンドリングサイズの前記セットから使用される前記ダウンリンクチャネルのうちの１つまたは複数についての実際のバンドリングサイズを決定することをさらに備える、請求項１１に記載の方法。
【請求項１３】
潜在的なバンドリングサイズの前記セットからの１つまたは複数のバンドリングサイズを示すシグナリングを受信することをさらに備える、請求項１２に記載の方法。
【請求項１４】
ワイヤレスデバイスで用いるための、ワイヤレス通信のための装置であって、
複数の固定されたバンドリングサイズへの、複数のアップリンクまたはダウンリンクチャネルのマッピングを決定するための手段と、ここにおいて、前記複数の固定されたバンドリングサイズの各々は、チャネルがそれらを通じて送信されるべき送信時間間隔（ＴＴＩ）の数を示し、前記複数のチャネルうちの第１のものについてのバンドリングサイズは、他のチャネルのうちの１つまたは複数についてのバンドリングサイズを決定づける、
前記マッピングに基づいて前記複数のアップリンクチャネルの送信を処理するための手段と、
前記マッピングに基づいて前記複数のダウンリンクチャネルの受信を処理するための手段と
によって特徴づけられる、装置。
【請求項１５】
命令を記憶したコンピュータ読取可能な媒体を備えるワイヤレス通信のためのコンピュータプログラム製品であって、前記命令は、請求項１〜１３のいずれか一項に記載の方法を行うために１つまたは複数のプロセッサによって実行可能である、コンピュータプログラム製品。
【手続補正２】
【補正対象書類名】明細書
【補正対象項目名】００８４
【補正方法】変更
【補正の内容】
【００８４】
[0092]  本開示の先の説明は、当業者が、本開示を製造または使用することを可能にするために提供される。本開示に対する様々な変更は、当業者には容易に明らかであり、本明細書で定義された包括的な原理は、本開示の精神または範囲から逸脱することなく他の変形に適用され得る。よって、本開示は、本明細書で説明される実例および設計に限定されることが意図されるものではなく、本明細書で開示される原理および新規の特徴と一致する最大範囲であると認められるべきである。
以下に、本願出願の当初の特許請求の範囲に記載された発明を付記する。
［Ｃ１］
ワイヤレスデバイスによるワイヤレス通信のための方法であって、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理することと
を備える、方法。
［Ｃ２］
チャネルについてのバンドリングサイズは、１つまたは複数の他のチャネルについてのバンドリングサイズを決定づける、Ｃ１に記載の方法。
［Ｃ３］
アップリンクチャネルについてのバンドリングサイズは、１つまたは複数のダウンリンクチャネルについてのバンドリングサイズを決定づける、Ｃ２に記載の方法。
［Ｃ４］
ダウンリンクチャネルについてのバンドリングサイズは、１つまたは複数のアップリンクチャネルについてのバンドリングサイズを決定づける、Ｃ２に記載の方法。
［Ｃ５］
物理ブロードキャストチャネル（ＰＢＣＨ）についてのバンドリングサイズは、システム情報ブロック（ＳＩＢ）および拡張された物理ダウンリンク制御チャネル（ＰＤＣＣＨ）についてのバンドリングサイズを決定づける、Ｃ３に記載の方法。
［Ｃ６］
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つにおいてシグナリングされる、Ｃ１に記載の方法。
［Ｃ７］
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つのバンドリングサイズにマッピングされる、Ｃ１に記載の方法。
［Ｃ８］
前記マッピングは、プライマリ同期信号（ＰＳＳ）、セカンダリ同期信号（ＳＳＳ）、物理ブロードキャストチャネル（ＰＢＣＨ）、またはシステム情報ブロック（ＳＩＢ）のうちの少なくとも１つのバンドリングサイズに、Ｍｓｇ １（ランダムアクセスチャネル（ＲＡＣＨ））、Ｍｓｇ ２（ＲＡＣＨ応答）、Ｍｓｇ ３、またはＭｓｇ ４のうちの少なくとも１つのバンドリングサイズをマッピングすることを備える、Ｃ１に記載の方法。
［Ｃ９］
異なるＲＡＣＨメッセージのバンドリングサイズに基づく第１のＲＡＣＨメッセージのバンドリングサイズをさらに備える、Ｃ８に記載の方法。
［Ｃ１０］
前記１つまたは複数のアップリンクまたはダウンリンクチャネルチャネルは、
物理アップリンク共有チャネル（ＰＵＳＣＨ）、ランダムアクセスチャネル（ＲＡＣＨ）Ｍｓｇ １、またはＲＡＣＨ Ｍｓｇ ３のうちの少なくとも１つ
を備える、Ｃ１に記載の方法。
［Ｃ１１］
前記１つまたは複数のアップリンクまたはダウンリンクチャネルは、物理ダウンリンク制御チャネル（ＰＤＣＣＨ）、物理ブロードキャストチャネル（ＰＢＣＨ）、物理ＨＡＲＱインジケータチャネル（ＰＨＩＣＨ）、またはシステム情報ブロック（ＳＩＢ）のうちの少なくとも１つを備える、Ｃ１に記載の方法。
［Ｃ１２］
前記処理することは、アップリンクチャネルについての割り当てられたバンドリングサイズに基づいて、ダウンリンクチャネルについてのバンドリングサイズを識別することを備える、Ｃ１に記載の方法。
［Ｃ１３］
前記処理することは、物理アップリンク共有チャネル（ＰＵＳＣＨ）について割り当てられたバンドリングサイズに基づいて、物理ダウンリンク制御チャネル（ＰＤＣＣＨ）または物理ＨＡＲＱインジケータチャネル（ＰＨＩＣＨ）のうちの少なくとも１つについてのバンドリングサイズを識別することを備える、Ｃ１２に記載の方法。
［Ｃ１４］
前記処理することは、ダウンリンクチャネルについてのバンドリングサイズに基づいてアップリンクチャネルについてのバンドリングサイズを識別することを備える、Ｃ１に記載の方法。
［Ｃ１５］
前記処理することは、拡張された物理ダウンリンク制御チャネル（ＰＤＣＣＨ）またはＰＤＣＣＨについてのバンドリングサイズに基づいて、物理アップリンク制御チャネル（ＰＵＣＣＨ）肯定応答（ＡＣＫ）についてのバンドリングサイズを識別することを備える、Ｃ１４に記載の方法。
［Ｃ１６］
前記処理することは、前記マッピングに従って前記１つまたは複数のアップリンクまたはダウンリンクチャネルを送信することを備える、Ｃ１に記載の方法。
［Ｃ１７］
前記処理することは、前記マッピングに従って送信された前記１つまたは複数のアップリンクまたはダウンリンクチャネルを受信することを備える、Ｃ１に記載の方法。
［Ｃ１８］
前記マッピングすることは、少なくとも１つのチャネルについて、単一の固定バンドリングサイズへの前記チャネルの１対１のマッピングを備える、Ｃ１に記載の方法。
［Ｃ１９］
前記マッピングすることは、少なくとも１つのチャネルについて、潜在的なバンドリングサイズのセットへの前記チャネルの一対多のマッピングを備える、Ｃ１に記載の方法。
［Ｃ２０］
ブラインド検出を介して潜在的なバンドリングサイズの前記セットから使用される実際のバンドリングサイズを決定することをさらに備える、Ｃ１９に記載の方法。
［Ｃ２１］
潜在的なバンドリングサイズの前記セットからの１つまたは複数のバンドリングサイズを示すシグナリングを受信することをさらに備える、Ｃ２０に記載の方法。
［Ｃ２２］
ワイヤレスデバイスによるワイヤレス通信のための装置であって、
１つまたは複数の固定されたバンドリングサイズへの、１つまたは複数のアップリンクまたはダウンリンクチャネルのマッピングを決定するための手段と、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理するための手段と
を備える、装置。
［Ｃ２３］
チャネルについてのバンドリングサイズは、１つまたは複数の他のチャネルについてのバンドリングサイズを決定づける、Ｃ２２に記載の装置。
［Ｃ２４］
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つにおいてシグナリングされる、Ｃ２２に記載の装置。
［Ｃ２５］
ランダムアクセスチャネル（ＲＡＣＨ）についてのバンドリングサイズは、物理ブロードキャストチャネル（ＰＢＣＨ）またはシステム情報ブロック（ＳＩＢ）のうちの少なくとも１つのバンドリングサイズにマッピングされる、Ｃ２２に記載の装置。
［Ｃ２６］
前記処理することは、アップリンクチャネルについての割り当てられたバンドリングサイズに基づいてダウンリンクチャネルについてのバンドリングサイズを識別することを備える、Ｃ２２に記載の装置。
［Ｃ２７］
前記マッピングすることは、少なくとも１つのチャネルについて、単一の固定バンドリングサイズへの前記チャネルの１対１のマッピングを備える、Ｃ２２に記載の装置。
［Ｃ２８］
前記マッピングすることは、少なくとも１つのチャネルについて、潜在的なバンドリングサイズのセットへの前記チャネルの一対多のマッピングを備える、Ｃ２２に記載の装置。
［Ｃ２９］
ワイヤレスデバイスによるワイヤレス通信のための装置であって、
少なくとも１つのプロセッサであって、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理することと
を行うように構成された少なくとも１つのプロセッサと、
前記少なくとも１つのプロセッサに結合されたメモリと
を備える、装置。
［Ｃ３０］
命令を記憶したコンピュータ読取可能な媒体を備えるワイヤレス通信のためのコンピュータプログラム製品であって、前記命令は、
１つまたは複数の固定されたバンドリングサイズへの、１つまたは複数のアップリンクまたはダウンリンクチャネルのマッピングを決定することと、ここにおいて、前記１つまたは複数の固定されたバンドリングサイズの各々は、チャネルがそれらを通じて送信されるべき送信時間間隔（ＴＴＩ）の数を示す、
前記マッピングに基づいて前記１つまたは複数のアップリンクまたはダウンリンクチャネルの送信を処理することと
を行うために１つまたは複数のプロセッサによって実行可能である、コンピュータプログラム製品。